(57)【要約】【課題】複数の領域に分けて折りたたむ用紙折りを行う印刷装置に対して印刷データを出力する印刷制御装置において、複数の領域に跨って一つのデザインが構成されるような絵柄を余白を形成することなく印刷し、かつ各領域の絵柄についても作成者が折り目を意識することなく容易にレイアウトできるようにする。【解決手段】用紙折りの少なくとも１つの領域の大きさであって、互いに異なる大きさで予め作成された複数のフォーム画像データの中から少なくとも１つのフォーム画像データの選択を受け付けるフォーム画像データ選択受付部１５と、原稿画像を表す原稿画像データを取得する画像データ取得部１４と、フォーム画像データ選択受付部１５において選択されたフォーム画像データと、画像データ取得部１４によって取得された原稿画像データとを合成した印刷データを生成する印刷データ合成部１７とを設ける。【選択図】図３
2012141653.tif 000002
【特許請求の範囲】
【請求項１】
印刷用紙を少なくとも２つ以上の領域に分けて折りたたむ用紙折りを行う機構を備えた印刷装置において認識可能な印刷データを所定の画像データに基づいて生成し、該印刷データを前記印刷装置に出力する印刷制御装置において、
少なくとも１つの前記領域の大きさであって、互いに異なる大きさで予め作成された複数のフォーム画像データの中から少なくとも１つのフォーム画像データの選択を受け付けるフォーム画像データ選択受付部と、
原稿画像を表す原稿画像データを取得する画像データ取得部と、
該フォーム画像データ選択受付部において選択された前記少なくとも１つのフォーム画像データと、前記画像データ取得部によって取得された原稿画像データとを合成した前記印刷データを生成する印刷データ合成部とを備えたことを特徴とする印刷制御装置。
【請求項２】
前記原稿画像データが、前記領域の大きさで作成されたものであり、
前記フォーム画像データ選択受付部が、前記フォーム画像データの選択を受け付けるとともに、該選択された前記フォーム画像データを割り当てる前記印刷用紙上の前記領域の選択を受け付けるものであることを特徴とする請求項１記載の印刷制御装置。
【請求項３】
前記フォーム画像データ選択受付部が、２つの前記領域の大きさのフォーム画像データが選択された場合には、前記印刷用紙上における一端の前記領域と中央の前記領域とを含む２つの領域または他端の前記領域と中央の前記領域とを含む２つの領域の選択を受け付けるものであることを特徴とする請求項２記載の印刷制御装置。
【請求項４】
前記フォーム画像データ選択受付部が、前記２つの領域の大きさのフォーム画像データと該フォーム画像データを割り当てる領域が選択された場合には、該フォーム画像データを割り当てる領域を除く１つの領域に割り当てられるフォーム画像データとして、１つの領域の大きさのフォーム画像データの選択のみを受け付け可能とするものであることを特徴とする請求項３記載の印刷制御装置。
【請求項５】
前記フォーム画像データ選択受付部が、１つの前記領域の大きさのフォーム画像データと該フォーム画像データを割り当てる領域とが選択された場合には、該フォーム画像データを割り当てる領域を除く残りの領域のフォーム画像データとして、３つの前記領域の大きさのフォーム画像データの選択の受付けを不可にするとともに、２つの前記領域の大きさまたは１つの前記領域の大きさのフォーム画像データの選択のみを受け付け可能とするものであることを特徴とする請求項２から４いずれか１項記載の印刷制御装置。
【請求項６】
前記フォーム画像データ選択受付部が、３つの前記領域の大きさのフォーム画像データが選択された際、該フォーム画像データ以外のフォーム画像データの選択の受け付けを不可にするものであることを特徴とする請求項２から５いずれか１項記載の印刷制御装置。
【請求項７】
両面印刷の指示を受け付ける両面印刷指示受付部を備え、
前記フォーム画像データ選択受付部が、前記両面印刷のうちの一方の面の印刷画像として３つの前記領域の大きさのフォーム画像データが選択された場合に、該３つの領域の大きさのフォーム画像データのうちの中央の前記領域に割り当てられる前記フォーム画像データの一部を、他方の面の端の領域に自動的に割り当てるものであることを特徴とする請求項１から６いずれか１項記載の印刷制御装置。
【請求項８】
印刷用紙を少なくとも２つ以上の領域に分けて折りたたむ用紙折りを行う機構を備えた印刷装置において認識可能な印刷データを所定の画像データに基づいて生成し、該印刷データを前記印刷装置に出力する印刷制御装置としてコンピュータを機能させる印刷制御プログラムであって、
少なくとも１つの前記領域の大きさであって、互いに異なる大きさで予め作成された複数のフォーム画像データの中から少なくとも１つのフォーム画像データの選択を受け付けるフォーム画像データ選択受付部と、
原稿画像を表す原稿画像データを取得する画像データ取得部と、
該フォーム画像データ選択受付部において選択された前記少なくとも１つのフォーム画像データと、前記画像データ取得部によって取得された原稿画像データとを合成した前記印刷データを生成する印刷データ合成部として前記コンピュータを機能させることを特徴とする印刷制御プログラム。
【発明の詳細な説明】
【技術分野】
【０００１】
本発明は、印刷用紙を複数の領域に分けて折りたたむ用紙折りを行う機構を備えた印刷装置に対して印刷データを出力する印刷制御装置およびプログラムに関するものである。
【背景技術】
【０００２】
近年、印刷装置において印刷の施された印刷用紙を折りたたんだり、製本したりするいわゆるフィニッシャー機能が充実してきている。
【０００３】
このようなフィニッシャー機能による用紙折りの方法としては、たとえば、簡単な二つ折りから内三つ折り、外三つ折り（Ｚ折り）、内四つ折り（観音折り）など種々の方法がある。
【０００４】
ここで、上述したフィニッシャー機能によって用紙折りを行って印刷物を作成する際、その印刷物に印刷される印刷画像は、たとえば、コンピュータにインストールされたアプリケーションを用いて作成されるが、このとき用紙折りが行われることを考慮して、すなわち折り目で印刷画像が途切れることを考慮して用紙折りの各領域（各面）に印刷される画像をレイアウトして作成する必要がある。
【先行技術文献】
【特許文献】
【０００５】
【特許文献１】特開２００８−１１３３２号公報
【発明の概要】
【発明が解決しようとする課題】
【０００６】
しかしながら、たとえば、Ａ４の印刷用紙を三つ折りして印刷物を作成する場合を考えると、アプリケーション上においてＡ４サイズで原稿画像を作成するようにしたのでは、作成者がそのＡ４サイズの枠の中で折り目がどの位置にくるかを意識して原稿画像をレイアウトする必要があり、非常に難しい作業である。また、誤って１つのデザインが折り目を跨いで配置されてしまった場合には、印刷物が無駄になるとともに、レイアウトのやり直しを行う必要がある。
【０００７】
そこで、たとえば、アプリケーション上において、三つ折りの領域毎の原稿画像をページ毎に分けて作成する方法が考えられる。
【０００８】
しかしながら、このようにページ毎に作成した場合、各ページには余白の設定があるため、アプリケーションによっては各ページの余白部に絵柄を描けないものもある。そして、三つ折りの印刷物を作成する際には、３つの領域に跨って一つのデザインが構成されるような絵柄を印刷したい場合もあり、このような場合に余白が入ってしまうと、図２４に示すように１つのデザインが途中で途切れた印刷物が作成されてしまう。
【０００９】
また、上述した余白の設定はアプリケーション上の問題であって、印刷装置の性能としてはこの余白部分にも印刷は可能であるので、上記のような余白が形成されないような方法が望まれている。
【００１０】
最も単純な方法としては、アプリケーション上において余白を設けないようにすることが考えられるが、全ての余白を設けないようにすると印刷用紙の周縁部分の余白も無くなることになってしまうことになる。
【００１１】
しかしながら、印刷用紙の周縁部分の余白も無くしてしまうと、その周縁部分にも印刷が施されることになるので、たとえば、そのような設定を想定して構成されていない印刷装置においては、搬送ローラなどにインクが付着したりして印刷装置内が汚れてしまい印刷物を汚してしまうおそれがある。
【００１２】
また、たとえアプリケーション上で余白を無しに設定できたとしても、上述したような印刷装置側での汚れなどの問題が発生するので、通常、このような設定はプリンタドライバでは禁止されており、印刷を行うことができない。
【００１３】
なお、特許文献１においては、小冊子の印刷物を作成する際に２頁にわたって１つのデザインが構成されるような絵柄のフォーム画像データと、各ページに印刷される原稿画像とを別々に作成して合成する方法が提案されているが、特許文献１において用いられるフォーム画像データのサイズは２頁の大きさの１種類だけであり、その他のサイズについては何の考慮もされていない。また、特許文献１においては、上述したような三つ折りの印刷物を作成する際における各領域への画像の割り当て方法については何の提案もなされていない。
【００１４】
本発明は、上記事情に鑑み、印刷用紙を複数の領域に分けて折りたたむ用紙折りを行う機構を備えた印刷装置に対して印刷データを出力する印刷制御装置およびプログラムにおいて、複数の領域に跨って一つのデザインが構成されるような絵柄を余白を形成することなく印刷することができ、かつ各領域の絵柄についても作成者が折り目を意識することなく容易にレイアウトすることができる印刷制御装置およびプログラムを提供することを目的とするものである。
【課題を解決するための手段】
【００１５】
本発明の印刷制御装置は、印刷用紙を少なくとも２つ以上の領域に分けて折りたたむ用紙折りを行う機構を備えた印刷装置において認識可能な印刷データを所定の画像データに基づいて生成し、印刷データを印刷装置に出力する印刷制御装置において、少なくとも１つの領域の大きさであって、互いに異なる大きさで予め作成された複数のフォーム画像データの中から少なくとも１つのフォーム画像データの選択を受け付けるフォーム画像データ選択受付部と、原稿画像を表す原稿画像データを取得する画像データ取得部と、フォーム画像データ選択受付部において選択された少なくとも１つのフォーム画像データと、画像データ取得部によって取得された原稿画像データとを合成した印刷データを生成する印刷データ合成部とを備えたことを特徴とする。
【００１６】
また、上記本発明の印刷制御装置においては、原稿画像データを上記領域の大きさで作成されたものとし、フォーム画像データ選択受付部を、フォーム画像データの選択を受け付けるとともに、その選択されたフォーム画像データを割り当てる印刷用紙上の領域の選択を受け付けるものとすることができる。
【００１７】
また、フォーム画像データ選択受付部を、２つの領域の大きさのフォーム画像データが選択された場合には、印刷用紙上における一端の領域と中央の領域とを含む２つの領域または他端の領域と中央の領域とを含む２つの領域の選択を受け付けるものとできる。
【００１８】
また、フォーム画像データ選択受付部を、２つの領域の大きさのフォーム画像データとそのフォーム画像データを割り当てる領域が選択された場合には、そのフォーム画像データを割り当てる領域を除く１つの領域に割り当てられるフォーム画像データとして、１つの領域の大きさのフォーム画像データの選択のみを受け付け可能とするものとできる。
【００１９】
また、フォーム画像データ選択受付部を、１つの領域の大きさのフォーム画像データとそのフォーム画像データを割り当てる領域とが選択された場合には、そのフォーム画像データを割り当てる領域を除く残りの領域のフォーム画像データとして、３つの領域の大きさのフォーム画像データの選択の受付けを不可にするとともに、２つの領域の大きさまたは１つの領域の大きさのフォーム画像データの選択のみを受け付け可能とするものとできる。
【００２０】
また、フォーム画像データ選択受付部を、３つの領域の大きさのフォーム画像データが選択された際、そのフォーム画像データ以外のフォーム画像データの選択の受け付けを不可にするものとできる。
【００２１】
また、両面印刷の指示を受け付ける両面印刷指示受付部を設け、フォーム画像データ選択受付部を、両面印刷のうちの一方の面の印刷画像として３つの領域の大きさのフォーム画像データが選択された場合に、その３つの領域の大きさのフォーム画像データのうちの中央の領域に割り当てられるフォーム画像データの一部を、他方の面の端の領域に自動的に割り当てるものとできる。
【００２２】
本発明の印刷制御プログラムは、印刷用紙を少なくとも２つ以上の領域に分けて折りたたむ用紙折りを行う機構を備えた印刷装置において認識可能な印刷データを所定の画像データに基づいて生成し、その印刷データを印刷装置に出力する印刷制御装置としてコンピュータを機能させる印刷制御プログラムであって、少なくとも１つの領域の大きさであって、互いに異なる大きさで予め作成された複数のフォーム画像データの中から少なくとも１つのフォーム画像データの選択を受け付けるフォーム画像データ選択受付部と、原稿画像を表す原稿画像データを取得する画像データ取得部と、フォーム画像データ選択受付部において選択された少なくとも１つのフォーム画像データと、画像データ取得部によって取得された原稿画像データとを合成した印刷データを生成する印刷データ合成部として上記コンピュータを機能させることを特徴とする。
【発明の効果】
【００２３】
本発明の印刷制御装置およびプログラムによれば、用紙折りの少なくとも１つの領域の大きさであって、互いに異なる大きさで予め作成された複数のフォーム画像データを予め準備し、その複数のフォーム画像データの中から少なくとも１つのフォーム画像データの選択を受け付けるとともに、原稿画像を表す原稿画像データを取得し、その選択された少なくとも１つのフォーム画像データと原稿画像データとを合成して印刷データを作成するようにしたので、フォーム画像データを利用することによって複数の領域に跨って一つのデザインが構成されるような絵柄を余白を形成することなく印刷することができ、かつ各領域の絵柄については原稿画像データ上で作成することができるので、作成者が折り目を意識することなく容易にレイアウトすることができる。
【図面の簡単な説明】
【００２４】
【図１】本発明の印刷制御装置の一実施形態を用いたプリンタシステムの概略構成を示すブロック図
【図２】フォーム画像データを説明するための図
【図３】図１に示すプリンタシステムにおけるプリンタドライバの構成を示すブロック図
【図４】本発明の印刷制御装置の一実施形態を用いたプリンタシステムの作用を説明するためのフローチャート
【図５】プリンタドライバによって表示される印刷条件受付画面の一例を示す図
【図６】プリンタドライバによって表示されるフォーム画像データ選択受付画面の一例を示す図
【図７】外三つ折り（横）、外三つ折り（縦）および内三つ折り（縦）のイメージ図
【図８】フォーム画像データと原稿画像データとを合成して合成印刷データを生成する作用を説明するための図
【図９】フォーム画像データ選択受付画面におけるフォーム画像データの選択の制限について説明するための図
【図１０】フォーム画像データと原稿画像データとを合成して合成印刷データを生成する作用を説明するための図
【図１１】フォーム画像データの一例を示す図
【図１２】適切なフォーム画像データの組み合わせを示す図
【図１３】不適切なフォーム画像データの組み合わせを示す図
【図１４】フォーム画像データの例を示す図
【図１５】フォーム画像データの選択の制限を説明するための表
【図１６】フォーム画像データの選択の制限を説明するためのフローチャート
【図１７】フォーム画像データ選択受付画面の一例を示す図
【図１８】フォーム画像データ選択受付画面の一例を示す図
【図１９】フォーム画像データ選択受付画面の一例を示す図
【図２０】フォーム画像データ選択受付画面の一例を示す図
【図２１】内三つ折りのフォーム画像データの一例を示す図
【図２２】内三つ折りの印刷物を折り込んだ状態を示す図
【図２３】裏面自動割り当ての選択画面の一例を示す図
【図２４】従来技術を説明するための図
【発明を実施するための形態】
【００２５】
以下、図面を参照して本発明の印刷制御装置およびプログラムの一実施形態を用いたプリンタシステムについて詳細に説明する。図１は、本実施形態のプリンタシステムの全体概略構成図である。
【００２６】
本実施形態のプリンタシステムは、図１に示すように、コンピュータ１０と、コンピュータ１０に有線または無線ＬＡＮなどのネットワークを介して接続された印刷装置２０と、コンピュータ１０に接続されたモニタ３０とを備えている。
【００２７】
印刷装置２０は、図１に示すように、印刷部２１と、用紙折り機構２２とを備えている。印刷部２１は、入力された印刷データに基づいて印刷用紙に印刷を施すものであり、たとえば、印刷用紙に対して孔版印刷やインクジェットプリントやレーザープリントなどを行うものを用いることができる。
【００２８】
用紙折り機構２２はいわゆるフィニッシャーと呼ばれるものであり、本実施形態の用紙折り機構２２は、印刷部２１において印刷の施されたＡ４サイズの印刷物を横方向に内三つ折り（以下、内三つ折り（横）という）、縦方向に内三つ折り（以下、内三つ折り（縦）という）、横方向に外三つ折り（Ｚ折り）（以下、外三つ折り（横）という）、縦方向に外三つ折り（以下、外三つ折り（縦）という）を行うものである。内三つ折りとは、図７に示すように、印刷用紙を３つの領域に分け、その３つの領域のうちの両端の２つの領域を中央の領域に向かって内側に交互に重なるように折り込む方法である。また、外三つ折りとは、図７に示すように、印刷用紙を３つの領域に分け、その３つの領域のうちの一方の領域を山折りし、他方の領域を谷折りしてＺ型字型に折り込む方法であり、Ｚ折りとも呼ばれるものである。なお、用紙折り機構２２は、上述した３つ折りだけでなく、２つ折りや４つ折りなどのその他の用紙折りをできるものとしてもよい。
【００２９】
コンピュータ１０は、中央処理装置（ＣＰＵ）および半導体メモリやハードディスクやＳＳＤ等のストレージデバイスなどのハードウェアを備えるとともに、原稿画像を表す画像データを生成するためのアプリケーション１１やアプリケーション１１によって生成された画像データに基づいて印刷装置２０において認識可能な印刷データを生成するプリンタドライバ１２などのプログラムがインストールされたものである。また、コンピュータ１０は、上述したハードディスクによって構成されるフォーム画像データ記憶部１３を備えている。
【００３０】
アプリケーション１１は、メモ帳やＷｏｒｄ（登録商標）などのような原稿画像を表す画像データを作成することができるプログラムであり、アプリケーション１１において作成された画像データはプリンタドライバ１２に出力される。なお、本実施形態は、上述したように印刷物を三つ折りするプリンタシステムであるので、アプリケーション１１においては、上述した三つ折りの３つの領域に対応する画像データがページ毎に作成されるものとする。
【００３１】
フォーム画像データ記憶部１３は、図２に示すように、印刷用紙を３つ折りしたときの３つの領域のうちの１つの領域の大きさを有するフォーム画像データ１と、２つの領域の大きさを有するフォーム画像データ２と、３つの領域の大きさを有するフォーム画像データ３とが予め記憶されたものである。
【００３２】
ここで、フォーム画像データとは、予め定められたデザインで描画された画像データである。本実施形態は、特に、上述した２つ以上の領域にわたってデザインされた画像を表すフォーム画像データ２やフォーム画像データ３を予め記憶するようにしたので、このフォーム画像データ２やフォーム画像データ３を用いることによって、上述したように領域の境界に余白が入らないようにすることができる。なお、フォーム画像データ１〜３は、それぞれ１つに限らず、複数種類のフォーム画像データを記憶するようにしてもよい。
【００３３】
プリンタドライバ１２は、印刷枚数や印刷部数、面付け、両面印刷などの種々の印刷条件や、上述した内三つ折りなどの用紙折り条件や排紙先などの操作者による入力を受け付けるユーザーインターフェースを備え、そのユーザーインターフェースによって受け付けられた印刷条件などとアプリケーション１１から出力された画像データに基づいて、印刷装置２０において認識可能な印刷データを生成し、その印刷データを印刷装置２０に出力するものである。プリンタドライバ１２で生成される印刷データとしては、ＰＤＬ（Page Description Language）データやラスターデータなどがある。
【００３４】
図３は、本実施形態のプリンタドライバ１２のより詳細な構成を示すブロック図である。プリンタドライバ１２は、図３に示すように、画像データ取得部１４と、フォーム画像データ選択受付部１５と、印刷データ生成部１６と、印刷データ合成部１７とを備えている。
【００３５】
画像データ取得部１４は、アプリケーション１１において作成された画像データを取得するものである。
【００３６】
フォーム画像データ選択受付部１５は、上述したユーザーインターフェースの一つであり、フォーム画像データ記憶部１３に予め記憶された複数のフォーム画像データの中から少なくとも１つのフォーム画像データの選択を受け付けるとともに、その選択したフォーム画像データを割り当てる印刷用紙上の領域の選択を受け付けるものである。フォーム画像データ選択受付部１５の作用については、後で詳述する。
【００３７】
印刷データ生成部１６は、アプリケーション１１から出力された原稿画像データをＰＤＬデータに変換して印刷データを生成するものである。
【００３８】
印刷データ合成部１７は、フォーム画像データ選択受付部１５において選択され、フォーム画像データ記憶部１３から読み出されたフォーム画像データと、印刷データ生成部１６において原稿画像データに基づいて生成された印刷データとを合成して合成印刷データを生成し、その合成印刷データを印刷装置２０に出力するものである。
【００３９】
次に、本実施形態のプリンタシステムの作用について、図４に示すフローチャートを参照しながら説明する。なお、ここでは内三折りを行って印刷物を作成する場合について説目する。
【００４０】
まず、アプリケーション１１が起動され、このアプリケーション１１を用いて文書、イラスト、写真画像などが作成されて原稿画像データが生成される（Ｓ１０）。
【００４１】
具体的には、ここでは内三つ折りされる印刷物の３つの領域の各領域に対応する原稿画像データがそれぞれページ毎に作成される。すなわち、作成者が、内三つ折りの印刷物の各面に印刷したいと思う原稿を表す原稿画像データがそれぞれ作成される。
【００４２】
そして、このようなページ毎の画像データの作成が終わった後、操作者によってアプリケーション１１において印刷指示が選択されると、アプリケーション１１において生成された内三つ折りの各領域に対応するページ毎の原稿画像データがアプリケーション１１からプリンタドライバ１２に出力される。そして、アプリケーション１１から出力されたページ毎の原稿画像データはプリンタドライバ１２の画像データ取得部１４によって取得される。
【００４３】
一方、上述したようにアプリケーション１１において印刷指示が選択されると、プリンタドライバ１２のユーザーインターフェースが起動され、図５に示すような種々の印刷条件、用紙折り条件や排紙先などの設定を受け付ける印刷条件受付画面がモニタ３０に表示される。そして、印刷条件受付画面において種々の印刷条件、用紙折り条件や排紙先などの設定が操作者によって行われる。
【００４４】
そして、たとえば、図５に示す「紙折り」のプルダウンメニューにおいて内三つ折り（横）が選択された場合には、図６に示すようなフォーム画像データ選択受付画面がモニタ３０に表示される。
【００４５】
具体的には、内三つ折り（横）の場合には、フォーム画像データ選択受付画面の左上には、図６に示すような内三つ折り（横）のイメージ図が表示される。そして、内三つ折り（横）のイメージ図には、内三つ折りの各領域を指定するための番号１〜６が表示される。「場所」に対応する番号１〜３は、内三つ折りの表面（三つ折りの内側の面）の各領域を指定するための番号であり、番号４〜６は、内三つ折りの裏面（三つ折りの外側の面）の各領域を指定するための番号である。番号１の領域の裏面の領域が番号４の領域であり、番号２の領域の裏面の領域が番号５の領域であり、番号３の領域の裏面の領域が番号６の領域である。
【００４６】
そして、内三つ折り（横）のイメージ図の右側には、内三つ折り（横）の各領域の番号１〜６と、その領域に割り当てるフォーム画像データのサイズを選択するためのプルダウンメニューと、その領域に割り当てるフォーム画像データの種類を選択するためのプルダウンメニューとが表示される。
【００４７】
また、内三つ折り（横）のイメージ図の下には、現在選択されている用紙折りの種類が表示されるが、この表示もプルダウンメニューとなっており、用紙折りの種類の変更が受け付け可能となっている。このプルダウンメニューによって用紙折りの種類が変更された場合には、用紙折りのイメージ図もその変更後の用紙折りのイメージ図に変更されるものとする。たとえば、外三つ折り（横）の場合には図７の左のイメージ図となり、外三つ折り（縦）の場合には図７の中央のイメージ図となり、内三つ折り（縦）の場合には図７の右のイメージ図となる。
【００４８】
そして、フォーム画像データ選択受付画面を用いて作成者によって印刷用紙の３つの領域の各領域に割り当てられるフォーム画像データが選択される（Ｓ１２）。なお、ここでは番号１のサイズのプルダウンメニューにおいて「３面」が選択され、フォーム画像データのプルダウンメニューにおいて「フォームＥ：３面」が選択されたものとし、「フォームＥ：３面」のフォーム画像データは、図２に示したフォーム画像データ３であるとする。
【００４９】
そして、フォーム画像データ選択受付画面においてフォーム画像データが選択された後、この画面の「ＯＫ」表示が押されると、フォーム画像データ選択受付部１５は、選択されたフォーム画像データをフォーム画像データ記憶部１３から読み出して印刷データ合成部１７に出力する。また、画像データ取得部１４によって取得された原稿画像データが印刷データ生成部１６に出力され、印刷データ生成部１６は、入力された原稿画像をＰＤＬデータに変換し、そのＰＤＬデータを印刷データ合成部１７に出力する。
【００５０】
そして、印刷データ合成部１７は、入力された原稿画像を表すＰＤＬデータとフォーム画像データ選択受付画面において選択されたフォーム画像データとを合成して合成印刷データを生成する（Ｓ１４）。図８は、内三つ折りの領域毎の作成された原稿画像データ１〜３とフォーム画像データ３とを合成して印刷画像データを生成する様子を示している。
【００５１】
そして、図６に示す印刷条件受付画面の「ＯＫ」表示が押され、最終的な印刷開始指示が入力されると、合成印刷データが印刷データ合成部１７から印刷装置２０に出力される。
【００５２】
そして、印刷装置２０は、入力された合成印刷データをラスターイメージデータに展開した後、そのデータに基づいて印刷部２１において印刷処理を行う（Ｓ１６）。
【００５３】
印刷部２１において印刷された印刷物は、プリンタドライバ１２から出力された用紙折りの条件に基づいて、必要に応じて用紙折り機構２２に送り込まれ、用紙折り機構２２において印刷物に対して用紙折りが行われる。具体的には、上述したように内三つ折り（横）が設定されている場合には、用紙折り機構２２において印刷物に対して内三つ折りが行われる。
【００５４】
なお、上記説明では、フォーム画像データ選択受付画面において、番号１のサイズのプルダウンメニューにおいて「３面」が選択され、フォーム画像データのプルダウンメニューにおいて「フォームＥ：３面」が選択された場合について説明したが、たとえば、図９に示すように、番号１のサイズのプルダウンメニューにおいて「１面」が選択され、フォーム画像データのプルダウンメニューにおいて「フォームＡ：１面」が選択され、番号２のサイズのプルダウンメニューにおいて「２面」が選択され、フォーム画像データのプルダウンメニューにおいて「フォームＢ：２面」が選択された場合には、たとえば、「フォームＡ：２面」のフォーム画像データが図２に示したフォーム画像データ２であり、「フォームＢ：１面」のフォーム画像データが図２に示したフォーム画像データ１であるとすると、図１０に示すような合成印刷データが生成される。
【００５５】
以上、本実施形態のプリンタシステムの基本的な作用について説明したが、ここで、上述したフォーム画像データ選択受付画面におけるフォーム画像データの選択受付の方法についてより詳細に説明する。
【００５６】
まず、本実施形態のプリンタシステムにおいては、上述したように３つのサイズのフォーム画像データを予め記憶しているが、これらのフォーム画像データをフォーム画像データ選択受付画面の各番号の領域について自由に選択可能とすると適切な合成印刷データが生成されない場合がある。
【００５７】
たとえば、図１１に示すような３つのサイズのフォーム画像データ１〜３が予め記憶されている場合、適切な合成印刷データが生成される組み合わせとしては、図１２（ａ）〜（ｄ）の組み合わせとなる。そして、図１２（ａ）〜（ｄ）の組み合わせ以外の組み合わせをフォーム画像データ選択受付画面において受け付け可能とすると、図１３（ａ）〜（ｃ）のようにフォーム画像データ内のデザインが途中で切られたような合成印刷データが生成されることになる。すなわち、２つの領域のサイズのフォーム画像データの選択を同時に２つ受け付け可能にした場合には、図１３（ａ）のような合成印刷データとなる場合があり、３つの領域のサイズのフォーム画像データの選択と１つの領域のサイズのフォーム画像データの選択とを同時に受け付け可能にした場合には、図１３（ｂ）のような合成印刷データとなる場合があり、３つの領域のサイズのフォーム画像データの選択と２つの領域のサイズのフォーム画像データの選択とを同時に受け付け可能にした場合には、図１３（ｃ）のような合成印刷データとなる場合がある。
【００５８】
したがって、フォーム画像データ選択受付画面において選択可能なフォーム画像データは一定の制限を設けることが望ましい。以下、その具体的な方法について説明する。
【００５９】
まず、フォーム画像データとして、図１４に示すようなフォームＡ〜フォームＨまでのフォーム画像データが予め記憶されているものとする。なお、図１４に示す「１面」はそのフォーム画像データの大きさが１つ領域のサイズであることを示し、「２面」は２つ領域のサイズであることを示し、「３面」は３つの領域のサイズであることを示している。
【００６０】
そして、このようなフォーム画像データが予め記憶されている場合には、フォーム画像データ選択受付画面の「サイズ」のプルダウンメニューにおいて「１面」が選択されている場合には、その番号のフォーム画像データのプルダウンメニューの中には、「フォームＡ：１面」、「フォームＣ：１面」、「フォームＤ：１面」および「フォームＨ：１面」のみを表示することによって、１つの領域のサイズのフォーム画像データのみを選択可能とする。また、フォーム画像データ選択受付画面の「サイズ」のプルダウンメニューにおいて「２面」が選択されている場合には、その番号のフォーム画像データのプルダウンメニューの中には、「フォームＢ：２面」および「フォームＦ：２面」のみを表示することによって、２つの領域のサイズのフォーム画像データのみを選択可能とし、フォーム画像データ選択受付画面の「サイズ」のプルダウンメニューにおいて「３面」が選択されている場合には、その番号のフォーム画像データのプルダウンメニューの中には、「フォームＥ：３面」および「フォームＧ：３面」のみを表示することによって、３つの領域のサイズのフォーム画像データのみを選択可能とする。
【００６１】
そして、さらにフォーム画像データ選択受付画面において選択された全てのフォーム画像データのサイズを加算したサイズが３つの領域のサイズとなるようにフォーム画像データのサイズの選択を制限する。その制限方法について、図１５の表と図１６のフローチャートを参照しながら説明する。
【００６２】
具体的には、フォーム画像データ選択受付画面において、まず、番号１と番号４の領域の「サイズ」と「フォーム」が選択可能なように表示し、それ以外の番号の領域はグレーアウトして表示させて選択不可能にする（図１７参照）。
【００６３】
そして、番号１（４）の「サイズ」の選択を受け付け（Ｓ２０）、その番号１（４）のサイズが「１面」である場合には（Ｓ２２，１面）、番号２（５）の「サイズ」のプルダウンメニューの表示をグレーアウトから「１面」および「２面」のみを選択可能な表示に切り替え、「３面」は選択不可能にする（Ｓ２４）（図１８参照）。
【００６４】
次に、番号２（５）の「サイズ」の選択を受け付け、その番号２（５）のサイズが「１面」である場合には（Ｓ２６，１面）、番号３（６）の「サイズ」のプルダウンメニューの表示をグレーアウトから「１面」のみの表示に切り替え、「２面」および「３面」は選択不可能にする（Ｓ２８）（図１９参照）。
【００６５】
一方、Ｓ２６において、番号２（５）のサイズが「２面」である場合には（Ｓ２６，２面）、番号３（６）の「サイズ」のプルダウンメニューの表示はグレーアウトのままとし選択不可能にする（Ｓ３０）（図１９参照）。
【００６６】
また、Ｓ２２において、番号１（４）のサイズが「２面」である場合には、番号２（５）の「サイズ」のプルダウンメニューの表示はグレーアウトのままとし（Ｓ３２）、番号３（６）の「サイズ」のプルダウンメニューの表示をグレーアウトから「１面」のみの表示に切り替え、「２面」および「３面」は選択不可能にする（Ｓ３４）（図２０参照）。
【００６７】
また、Ｓ２２において、番号１（４）のサイズが「３面」である場合には、番号２（５）および番号３（６）の「サイズ」のプルダウンメニューの表示はグレーアウトのままとして選択不可能とする（Ｓ３６）（図２０参照）。
【００６８】
以上のようにフォーム画像データの選択を制限することによって、図１３（ａ）〜（ｃ）に示したようなデザインが途中で切れた不適切な合成印刷データが生成されるのを防止することができる。
【００６９】
また、上記実施形態のプリント用紙折りが内三つ折りの場合には、３つの領域のうちの端の領域を折り込んだ場合、その端の領域が中央領域の上に重なるため中央領域のデザインが隠れることになる。
【００７０】
そこで、内三つ折りの折り込まれる端の領域の裏側に中央領域と同じデザインを印刷することによって中央領域のデザインが現れるようにすることができる。
【００７１】
具体的には、たとえば、図２１に示すように印刷用紙の表面（内三つ折りの内側）に「ＲＩＳＯ ＫＡＧＡＫＵ Ｃｏｒｐ．」のようなデザインを印刷する場合には、中央領域である表２の領域に印刷されている「ＫＡＧＡＫＵ」を印刷用紙の裏面（内三つ折りの外側）の裏１の領域に印刷する。なお、図２１における表１の裏が裏３にあたり、表３の裏が裏１にあたることになる。
【００７２】
図２１に示すように印刷することによって、図２２に示すように、図２１に示す表３の領域を折り込んだ際、裏１の領域のデザインが表２の領域上に重なることになるので、「ＲＩＳＯ ＫＡＧＡＫＵ」という１つのロゴのデザインを構成することができる。
【００７３】
しかしながら、上記実施形態のプリントシステムにおいて上述したような印刷を実現するためには、３つの領域のサイズの「ＲＩＳＯ ＫＡＧＡＫＵ Ｃｏｒｐ．」のフォーム画像データと１つの領域のサイズの「ＫＡＧＡＫＵ」のフォーム画像データとの両方を準備する必要があり、また、フォーム画像データ選択受付画面において、裏１の領域に印刷される「ＫＡＧＡＫＵ」のフォーム画像データを作成者が選択する手間がかかる。
【００７４】
そこで、上記実施形態のプリントシステムのフォーム画像データ選択受付画面において、たとえば、図２３に示すように、番号１のサイズのプルダウンメニューにおいて「３面」の選択を受け付けるとともに、フォーム画像データのプルダウンメニューにおいて上述した「ＲＩＳＯ ＫＡＧＡＫＵ Ｃｏｒｐ．」のような３面の大きさのフォーム画像データ（ここでは「Ｃｏｒｐ Ｆｏｒｍ：３面」という名前のフォーム画像データとする）の選択を受け付け、さらに、番号４のサイズのプルダウンメニューおいて「表２を使用」の選択を受け付けることによって裏面自動割り当ての選択を受け付け、この裏面自動割り当ての選択が受け付けられた場合には、表面について選択されたフォーム画像データ「ＲＩＳＯ ＫＡＧＡＫＵ Ｃｏｒｐ．」のうちの中央領域の一部のフォーム画像データ「ＫＡＧＡＫＵ」のみを抽出し、その「ＫＡＧＡＫＵ」のフォーム画像データを裏１の領域、すなわち番号４の１面のフォーム画像データとして自動的に割り当てるようにしてもよい。なお、このとき印刷条件受付画面において「両面印刷」が指定されているものとする。図５に示す印刷条件受付画面には両面印刷のメニューは現れていないが、「基本」のタグを選択することによって両面印刷のメニューが現れるものとする。
【００７５】
このように構成することによって、フォーム画像データとしては「ＲＩＳＯ ＫＡＧＡＫＵ Ｃｏｒｐ．」のみを準備すればよく、また、作成者が「ＫＡＧＡＫＵ」のフォーム画像データをわざわざ選択する手間も省くことができる。
【００７６】
なお、上記実施形態においては、三つ折りの場合について説明したが、三つ折りに限らず二つ折りや四つ折りや六つ折りの場合においても、上記実施形態と同様のフォーム画像データを予め記憶し、フォーム画像データと原稿画像データとを合成して合成印刷データを生成するようにしてもよい。
【符号の説明】
【００７７】
１０   コンピュータ
１１   アプリケーション
１２   プリンタドライバ
１３   フォーム画像データ記憶部
１４   画像データ取得部
１５   フォーム画像データ選択受付部
１６   印刷データ生成部
１７   印刷データ合成部
２０   印刷装置
２１   印刷部
２２   用紙折り機構
３０   モニタ
【図１】
2012141653.tif 000003
【図３】
2012141653.tif 000004
【図４】
2012141653.tif 000005
【図７】
2012141653.tif 000006
【図１４】
2012141653.tif 000007
【図１５】
2012141653.tif 000008
【図１６】
2012141653.tif 000009
【図２１】
2012141653.tif 000010
【図２２】
2012141653.tif 000011
【図２】
2012141653.tif 000012
【図５】
2012141653.tif 000013
【図６】
2012141653.tif 000014
【図８】
2012141653.tif 000015
【図９】
2012141653.tif 000016
【図１０】
2012141653.tif 000017
【図１１】
2012141653.tif 000018
【図１２】
2012141653.tif 000019
【図１３】
2012141653.tif 000020
【図１７】
2012141653.tif 000021
【図１８】
2012141653.tif 000022
【図１９】
2012141653.tif 000023
【図２０】
2012141653.tif 000024
【図２３】
2012141653.tif 000025
【図２４】
2012141653.tif 000026